Podtech/llm-jp-corpus-v4-ja_patent huggingface dataset:
(57)【要約】【課題】  使用中に装飾品部分を吊り下げる部分が緩んだり脱落したりする危険を無くした、ペンダントを提供する。【解決手段】  本発明のペンダントは、ペンダント本体１と、該ペンダント本体１内に装着される装飾品２とを備え、前記ペンダント本体１内には中空状の装飾品収納室１０が設けられ、前記装飾品収納室１０内において、対称に設けられたクレスト線１１が形成され、該クレスト線１１上には嵌め込み槽１１０が設けられると共に、前記ペンダント本体１上部側に切り離し部１２と吊り下げ用取付穴１３とが設けられ、前記装飾品２は前記クレスト線１１上の嵌め込み槽１１０内に嵌め込むための嵌め込み縁２０が設けられ、ペンダント本体１の装飾品収納室１０内に嵌め込まれるようにし、組立てが素早く確実に固定できる構成とした。【選択図】図１
2007014769.tif 000002
【特許請求の範囲】
【請求項１】
ペンダント本体と、該ペンダント本体内に装着される装飾品からなり、前記ペンダント本体内には中空状の装飾品収納室が設けられ、前記装飾品収納室内において、対称に設けられたクレスト線が形成され、該クレスト線上には嵌め込み槽が設けられると共に、前記ペンダント本体上部側に切り離し部と吊り下げ用取付穴とが設けられ、前記装飾品は前記クレスト線上の嵌め込み槽内に嵌め込むための嵌め込み縁が設けられ、ペンダント本体の装飾品収納室内に嵌め込まれるようにしたことを特徴とするペンダント。
【発明の詳細な説明】
【技術分野】
【０００１】
本発明は、ペンダントに関する。
【背景技術】
【０００２】
一般のペンダントの構造は、ペンダントの上方に吊り下げ用の鎖或いは紐を貫通するための吊り下げ用部品が別体で設けられており、しかも吊り下げ用部品が接着やフックによってペンダントに固定されているため、使用中に弛んで脱落する恐れがある。
【発明の開示】
【発明が解決しようとする課題】
【０００３】
本発明の主な目的は、装飾物が緊密にペンダント本体上に嵌め込まれるペンダントを提供する。
【課題を解決するための手段】
【０００４】
本発明に係るペンダントは、ペンダント本体と、該ペンダント本体内に装着される装飾品からなり、前記ペンダント本体内には中空状の装飾品収納室が設けられ、前記装飾品収納室内において、対称に設けられたクレスト線が形成され、該クレスト線上には嵌め込み槽が設けられると共に、前記ペンダント本体上部側に切り離し部と吊り下げ用取付穴とが設けられ、前記装飾品は前記クレスト線上の嵌め込み槽内に嵌め込むための嵌め込み縁が設けられ、ペンダント本体の装飾品収納室内に嵌め込まれるようにしたことを特徴とする。
【発明の効果】
【０００５】
本発明の利点は、ペンダント本体の上方に設けた切り離し部を外方へ僅かに広げて、装飾品をペンダント本体の収納室内に収納し、装飾品の嵌め込み縁がペンダント本体のクレスト線上の嵌め込み槽内に嵌め込まれることにより、装飾品がペンダント本体上に嵌め込まれ、組立てが素早く確実に固定できる。
【発明を実施するための最良の形態】
【０００６】
以下、本発明のペンダントの目的と効果を達成するための具体的な実施例を、図面を基に説明する。
【実施例】
【０００７】
図１と図２を参照しながら本発明のペンダントについて説明する。
符号１はペンダント本体であり、前記ペンダント本体１内には中空状の装飾品収納室１０が形成してあり、前記装飾品収納室１０の内壁に、若干中心点側へ対称に突出して形成されたクレスト線１１が設けられている。該クレスト線１１は、二つの円弧面が接することによる鋭角の山頂からなっており、嵌め込み槽１１０が設けられており、また、ペンダント本体１の上方には装飾品収納室１０まで貫通する切り離し部１２が形成される。
更に、前記ペンダント本体１上部に形成した切り離し部１２の両側に、ネックレス(吊り下げ紐)Ａを貫通するための吊り下げ穴１３が設けられている。
装飾品２は、ペンダント本体１の装飾品収納室１０内に嵌め込まれるもので、該装飾品２には、クレスト線１１上の嵌め込み槽１１０内に嵌め込ん時に固定されるよう、嵌め込み縁部２０が形成されている。
【０００８】
前記装飾品２を組み立てる時は、図１〜図３のように、ペンダント本体１の上方に形成した切り離し部１２を外方へ少し広げて、装飾品２をペンダント本体１の収納室１０内に収納してから、装飾品２の嵌め込み縁部２０をペンダント本体１のクレスト線１１上の嵌め込み槽１１０内に嵌め込むようにすることにより、装飾品２がペンダント本体１上に嵌め込まれる。そしてこの状態に組み立てられたペンダントの本体１上の吊り下げ穴１２にネックレスＡを通すことで、直ちに着用することができ(図３を参照)、組立てが素早くて且つ確実に固定できる。
【０００９】
以上説明したものは、本発明の好適な実施例を示すもので、本発明は、上記実施例には限定されるものではなく、本発明の特許請求の範囲によって限定されるものであり、前記特許請求の範囲含まれる等価の変更や修正は、全て本発明に係わる特許請求の範囲に含まれるものである。
【図面の簡単な説明】
【００１０】
【図１】本発明のペンダントの一実施例を示す分解斜視図。
【図２】本発明のペンダントの一実施例における組立て斜視図。
【図３】本発明のペンダントの一実施例における使用状態を示す斜視図。
【符号の説明】
【００１１】
１          ペンダント本体
１０        装飾品収納室
１１        クレスト線
１１０      嵌め込み槽
１２        切り離し部
１３        吊り下げ穴
２          装飾品
２０        嵌め込み縁
Ａ          ネックレス
【図１】
2007014769.tif 000003
【図２】
2007014769.tif 000004
【図３】
2007014769.tif 000005
(57)【要約】【課題】ウェーダーを乾燥及び保管するためのハンガーを提供する。【解決手段】ウェーダーの吊るし方は、吊るし棒前８と吊るし棒後９にウェーダーのサスペンダー部分１６を掛ける、もしくはブーツ部分１７を挟んで吊るします。壁離し棒１１は、ウェーダーが壁を汚すのを防ぎます。掛ける部分２の形状は、棚１１パイプ１２桟１３フック１４に掛けられます。また柄６の長さの分だけ高い場所にも掛けることが出来るので、乾燥及び保管する場所の選択肢が広がっています。【選択図】図１
2007014723.tif 000002
【特許請求の範囲】
【請求項１】
ウェーダーのサスペンダー部分１６もしくはブーツ部分１７を吊るすための吊るし棒前８と吊るし棒後９と、ウェーダーを壁から離すための壁離し棒１１を持つウェーダー吊り下げ部７の構造。
【請求項２】
棚１２パイプ１３桟１４フック１５にウェーダー用ハンガー本体１を掛けるための、ツメ３フック穴４曲がり５を持つ掛ける部分２とウェーダー用ハンガー本体１を高い位置に掛けるための長い柄６の構造。
【請求項３】
「請求項１」「請求項２」の組み合わせによるウェーダー用ハンガー本体１の構造。
【発明の詳細な説明】
【技術分野】
【０００１】ウェーダーとは、釣りで水に入るときに着用する胴長付き長靴のことで、本発明は、ウェーダーの乾燥と保管をするためのものである。
【背景技術】
【０００２】従来は、ウェーダー用のハンガーは無く、車庫の壁のフックにウェーダーのサスペンダー部分を引っ掛けていた。また、図２に示したウェーダー吊り下げ部７と柄６の接続の仕方は、既存の方法である。
【発明の開示】
【発明が解決しようとする課題】
【０００４】ウェーダーが途中で折れ曲がったりして広がらず、ウェーダー内側が乾燥しにくく、カビや水虫の危険があった。又、ウェーダーを置く場所は車庫及び倉庫内のフックのある所に限定されたうえウェーダーの接した壁や床に土やカビが付くという難点があった。本発明は、この課題を解消するためになされたものである。
【課題を解決するための手段】
【０００５】ウェーダーの吊るし方は、図７に示したようにウェーダーのサスペンダー部分１６を吊るし棒前８と吊るし棒後９に広げる様に掛けます。するとウェーダーを上下にピンと張るとともに内側が広がりウェーダー内側を乾燥させる事が出来ます。又、ウェーダーのサスペンダー部分１６のゴムが長期間の保管で伸びるのを防いだり、ウェーダー内に多く水が入ったりした場合は、図８に示したようにウェーダーのブーツ部分１７を吊るし棒前８と吊るし棒後９の間に挟んで逆さまに吊るします。【０００６】ウェーダーは汚れ物なので、置く場所は車庫や倉庫の中などに限定されます。そのなかでもウェーダー用ハンガー本体１の掛ける場所の自由度を増やすために、まず柄６の寸法を長めに取るとともに、柄６とウェーダー吊り下げ部７の接続を高さ調整式とします。すると高い位置から低い位置までウェーダー用ハンガー本体１を掛けることが出来ます。接続方法は既存の技術で、図２に示したように柄６を接続穴１０に通した後、締め具１８で締め込みます。【０００７】また、掛ける部分２は、棚１２パイプ１３桟１４フック１５のすべてに掛けられるような形状になっています。棚１２に掛ける場合は、図３に示した様に掛ける部分２全体を棚１２に掛けます。パイプ１３に掛ける場合は、図４に示した様に曲がり５をパイプ１３に掛けます。桟１４に掛ける場合は、図５に示した様にツメ３を桟１４に、フック１５に掛ける場合は、図６に示した様にフック穴４をフック１５に掛けます。桟１４及びフック１５に掛けた場合には、壁離し棒１１がウェーダーと壁面２０が接触して壁を汚すのを防ぐとともにウェーダー用ハンガー本体１を水平に保ちます。また、桟１４に掛ける場合ウェーダー用ハンガー本体１の落下が心配ですが、柄６とツメ３の位置がウェーダー用ハンガー本体１の重心を挟んでいるのでツメ３が桟１４から外れ難くなっています。
【発明の効果】
【０００８】棚１２、パイプ１３、桟１４、フック１５のいずれかがあれば、低い場所のほかに柄６の長さの分だけ高い場所にも、周囲を汚すことなく濡れたウェーダーを乾燥させると同時に保管することができます。
【実施例】
【０００９】棚１２パイプ１３桟１４フック１５にウェーダー用ハンガー本体１を掛けるために、掛ける部分２にツメ３フック穴４曲がり５をもたせます。高い所にウェーダー用ハンガー本体１を掛けるために、柄６を長くとります。柄６とウェーダー吊り下げ部７の接続部は、ウェーダー用ハンガー本体１を掛ける場所の自由度を上げるために、図２のような取り付け位置調整式とします。ウェーダー吊り下げ部７はウェーダーのサスペンダー部分１６またはブーツ部分１７を掛けるための吊るし棒前８と吊るし棒後９をまたせます。壁面からウェーダーを離すための壁離し棒１１をもたせます。
【図面の簡単な説明】
【００１０】
【図１】本発明の立体図である。
【図２】ウェーダー吊り下げ部７と柄６の接続の仕方を示す正面図である。
【図３】棚１２に掛けた状態の断面図である。
【図４】パイプ１３に掛けた状態の断面図である。
【図５】桟１４に掛けた状態の断面図である。
【図６】フック１５に掛けた状態の断面図である。
【図７】ウェーダーのサスペンダー部分１６の吊るし方を示す立体図である。
【図８】ウェーダーのブーツ部分１７の吊るし方を示す立体図である。
【符号の説明】
【００１１】１ウェーダー用ハンガー本体２掛ける部分３ツメ４フック穴５曲がり６柄７ウェーダー吊り下げ部８吊るし棒前９吊るし棒後１０接続穴１１壁離し棒１２棚１３パイプ１４桟１５フック１６サスペンダー部分１７ブーツ部分１８締め具１９ねじ山２０壁面
【図１】
2007014723.tif 000003
【図２】
2007014723.tif 000004
【図３】
2007014723.tif 000005
【図４】
2007014723.tif 000006
【図５】
2007014723.tif 000007
【図６】
2007014723.tif 000008
【図７】
2007014723.tif 000009
【図８】
2007014723.tif 000010
(57)【要約】【課題】本発明は、腕や肩の安定と固定を保ち、前腕部の冷え防止や手首の痛みや予防の改善などを補助する腕吊りサポーターを提供する。【解決手段】  幅広の腕吊り帯の両端部に面ファスナーを設け、サポーターとなる内布と外布の間に取り外し可能な型パットを入れ安定させ、外布の左右の端に面ファスナーを施し、前腕部を型に入れて閉じ合わせ、腕吊り帯で吊り支えることを特徴とする腕吊りサポーター。【選択図】    図１
2007014729.tif 000002
【特許請求の範囲】
【請求項１】
幅広の腕吊り帯の両端部に面ファスナーを設け、サポーターとなる内布と外布の間に取り外し可能な型パットを入れ安定させ、外布の左右の端に面ファスナーを施し、前腕部を型に入れて閉じ合わせ、腕吊り帯で吊り支えることを特徴とする腕吊りサポーター。
【発明の詳細な説明】
【技術分野】
【０００１】本発明は、腕や肩の安定と固定を保ち、前腕部の冷え防止や手首の痛みや予防の改善などを補助する腕吊りサポーターに関するものである。
【背景技術】
【０００２】  従来のものは、腕を吊り支えるのに三角布を使い、伸縮性のある手首のバンドしか無く、また前腕部を保護するサポーターは見当たらなかった。
【発明の開示】
【発明が解決しようとする課題】
【０００３】  そのために次のような問題点があった。
（イ）従来の腕を吊る三角の布は、痛々しさまで感じられ、肩や腕に痛みがある場合、動かすと痛いなど、出し入れには手間もかかり難儀である。
（ロ）布は使っているうちに伸びて細くなり首に食いこみ負担がかかり、腕や肩に違和感を持たせ肩こりなどの要因にもなっている。
（ハ）従来の手首に巻くバンドは、伸縮性があり過ぎて何時も締め付け、血流を不必要に抑え圧迫痕まで発生させている。
本発明は、以上の問題点を解決するためになされたものである。
【課題を解決するための手段】
【０００４】  幅広の腕吊り帯の両端部に面ファスナーを設け、サポーターとなる内布と外布の間に取り外し可能な型パットを入れ安定させ、外布の左右の端に面ファスナーを施し、前腕部を型に入れて閉じ合わせ、腕吊り帯で吊り支える。以上を特徴とする腕吊りサポーターである。
【発明の効果】
【０００５】  幅広の腕吊り帯と型パットにより、首への負担を軽減させ、帯が当たる前腕部への支点が散らされ負担を軽減できる。
痛い腕や肩を動かすのに最低限の動作で、固定・取り外しが出来る。
伸縮しない手首バンドは、握力を使う時だけ締まり、手首の関節（手首部の棟骨と尺骨）の開きによる腱鞘炎の痛みの治療と予防に行く立つ。
机上での仕事は、テーブルが冷たく冷えから腕や体を守る。
型パットや腕吊り帯を外して使えば、頻繁に腕を使う仕事やレジャーなどでの腕カバーとして利用できる。
【発明を実施するための最良の形態】
【０００６】  以下、本発明の実施の形態について説明する。
（イ）網目状の型パット（３）を内布サポーター（２）と外布サポーター（４）の間に入れ、取り外しを可能にする。
（ロ）左右共用のため、外布サポーター（４）の内側の両サイドに面ファスナー（）を設ける。
（ハ）リストバンド部（７）は伸縮しない素材とし、前腕に巻く内布・外布サポーターの外面全体に面ファスナー（５）のメスで覆い、肌触りと美観を良くする。
（ニ）腕吊り帯（１）は、厚みのある幅広の帯の端部分に面ファスナー（５）を取り付ける。
本発明は以上のような構造で、これを使用する時は、腕吊り帯（１）を首に掛け、アーチ状になった前腕サポーター（６）に腕を差し入れ、内布を合わせ閉じ、さらに手首のバンドと前腕サポーターの外布の面ファスナー（５）を合わせ閉じ、腕吊り帯（１）の端を巻いて面ファスナー（５）で閉じて吊るします。
【図面の簡単な説明】
【０００７】
【図１】    本発明の斜視図
【図２】    本発明の分解斜視図
【図３】    本発明の断面図
【図４】    本発明の使用状態を示す斜視図
【符号の説明】
【０００８】１    腕吊り帯
２    内布サポーター
３    型パット
４    外布サポーター
５    面ファスナー
６    前腕サポーター
７    リストバンド部
【図１】
2007014729.tif 000003
【図２】
2007014729.tif 000004
【図３】
2007014729.tif 000005
【図４】
2007014729.tif 000006
(57)【要約】【目的】  バター容器の中にバターナイフを固定して収納し、使用時には簡単に着脱できようにする。また収納時にバターに触れないことで衛生的なものとする。【構成】  図１の容器の蓋に１のスリットを設けバターナイフの柄の部分をスライドさせながら密着させ、容器のスリットの反発力により固定させる【選択図】        図２
2007014724.tif 000002
【特許請求の範囲】
【請求項１】
バター容器の蓋の側面にバターナイフの柄のテーパーの幅に合わせてスリットを設けて、バターナイフを蓋の裏側に固定し、容器の蓋の裏に固定したまま蓋を開け閉め出来るようにしたもの。
【発明の詳細な説明】
【発明の詳細な説明】
【０００１】  本発明は、バター容器の蓋の側面にスリットを設けて、バターナイフの柄をスライドさせながらスリットを通ることにより、蓋に固定と収納が出来る。
【０００２】  従来、バター容器は蓋と容器に四角い穴を設けバターナイフ等を入れられるようになっているが、固定出来るわけではないので不安定で、バターが入っている方に接触して柄にバターが付き非衛生的であった。
【０００３】  本発明の課題は、第一にバターナイフを容器の蓋の裏に固定したまま蓋を開け閉め出来るようにし、バターがバターナイフの柄に付くことを防ぐこと。第二にバター容器にバターナイフを装備することで利便性を確保することである。
【０００４】  そのために、バター容器の蓋の側面にスリットを設ける。バターナイフはスリットを通ることで容器の蓋に固定される。さらにそのスリットの反発力によってバターナイフは容器の裏に密着させられる。また、使用する時は簡単に取り外しができる。
【０００５】  このようにすれば、バターナイフが容器内でバターに触れることなく収納でき衛生的となる。また、常時容器にバターナイフを装備しておけるので便利となる。
【図面の簡単な説明】
【図１】  バター容器の正面図である。
【図２】  バター容器とバターナイフの側面からの断面図である。
【図３】  バター容器の蓋とバターナイフの収納状態である。
【符号の説明】
１  バターナイフをホールドする為のスリット
２  バター容器の蓋
３  バター容器のバターが入っている部分
４  バターナイフ
【図１】
2007014724.tif 000003
【図２】
2007014724.tif 000004
【図３】
2007014724.tif 000005
(57)【要約】      （修正有）【課題】ゴルフ練習者が打ったボールをひろい集め運んできて、マット上に置くという一連の作業を自動化する家庭用ゴルフ練習器具を提供する。【解決手段】正面を湾曲させた、散乱防止ネット１、集まったボールを練習者の元まで導く勾配のついた溝２を設置し、ゴルフ練習者の元まで導きボールを一直線に並べる筒３の上に置き、レバーの操作で１つづつボールを、マット上に出す構成とする。【選択図】図５
2007014741.tif 000002
【特許請求の範囲】
【請求項１】
正面を湾曲させたことを特徴とするネット
【請求項２】
湾曲させたネットの底部から練習者の元までつながった勾配をつけ、穴のあいたことを特徴とする溝
【請求項３】
ボールが、１つづつマットの上に出てくることを特徴とする装置
【発明の詳細な説明】
【技術分野】
【０００１】本発名は、家庭用ゴルフ練習器具に関するものであり、ゴルフネット及び周辺器具の形状に工夫を加える事によって、ゴルフボールを打ち終ったあとのボール集めと、打つ前にボールをマットの上に置く事を自動的に行なえるようにしたものである。
〔背景技術〕【０００２】従来から、家庭用ゴルフ練習用ネットとして、ボールの飛散を防止するためだけのネットが利用されている。
〔発明の開示〕
〔発明者が解決しようとする課題〕【０００３】従来の形状の家庭用ゴルフ練習用ネットでは、散乱したボールを、拾い集め、また、打つためにボールをマットの上に置かなくてはならず非常に不便である。本発明はこのような散乱したボールを拾い集めマットの上にボールを置くという不都合を、解決することを課題とする。
〔課題を解決するための手段〕【０００４】この課題を解決するための請求項１の発明は練習用ネットの正面を湾曲させ、練習用ネットの正面に当ったボールを一定位置に導くことによりボールの散乱を防止できる。【０００５】また請求項２の発明は湾曲させたネットの底部に穴のあいた溝を設置し勾配をつけゴルフ練習者の元までつなげることによりボールが自然にコロがってくるためボールを拾い集め運ぶ必要がなくなる。【０００６】また請求項３の発明は、練習者の元まできたボールは、そのまま筒の中へ入り一列になって止まる。止まったボールは、レバーの操作により先頭のボールはロックがはずれてコロがり出すが、２番目のボールはロックが一瞬かかり一度の操作でボールが複数出てくる事を防止する。出てきたボールはそのままゴルフマットの上で止まる。よって練習者はボールを拾い集め運びマットの上に置くという必要がなくなる。
〔発明の効果〕【０００７】本発明により練習者はボールを打つ前のボールの設置と打ち終ったあとのボール集めをする必要がなくなりボールを打つことだけに専念できる。
〔発明を実施するための最良の形態〕【０００８】図１はネット正面を湾曲させたことを特徴とするネットの断面図である。同図に示すようにネットが袋状に湾曲しているため、ボールを１ヶ所に導くことができる。【０００９】図２は湾曲させたネットの底部に小さな穴の明いた溝を、勾配をつけて設置したことを特徴とする溝の平面図である。同図に示すように、溝に穴があいているので雨水の排水ができる。【００１０】図３はマット上にボールが、１つづつ出てくることを特徴とする装置の断面図である。同図に示すように、レバーの操作により先頭のボールのロック解除と２番めのボールのロックを同事に行なうため、ボールは１つづつしか出てこない。【００１１】これらの材料は、ビニール、プラスチックなど通常のものでよい。また、溝の穴は、雨水排水のためボールの転がりを妨害しない限り大きく多いほうがよい。
〔産業上の利用可能性〕【００１２】本発明に係るゴルフ練習用ネットは、工業的に量産することが可能であるため、産業上の利用可能性を有する。
【図面の簡単な説明】
【００１３】〔図１〕
ゴルフボールを散乱させないために、ネット正面を湾曲させたゴルフネットの断面図である。
〔図２〕
ゴルフネットの底部に集まったボールを、ゴルフ練習者の元まで導くための勾配のついた溝の平面図である。
〔図３〕
ゴルフボールを１つづつマットの上に取り出す装置の断面図である。
〔図４〕
ゴルフボールを１つづつマットの上に取り出す装置が作動した時の断面図である。
〔図５〕
ゴルフネット、溝、ボールを１つづつ取り出す装置の立面図である。
【符号の説明】
【００１４】  １  正面を湾曲させた、散乱防止ネット
２  集まったボールを練習者の元まで導く、勾配のついた、溝
３  ボールを一直線に並べる筒
４  ボールを１つづつ出すためのロックレバー
５  ロックレバーを自動にロックさせるためのバネ
６  勾配をつけるための台
７  ゴルフボール
８  ネット全体を支えるための支柱
９  ネットを湾曲させるためのワィヤーロープ
１０  ネットの端を固定させるためのピン
１１  地面
１２  マット
【図１】
2007014741.tif 000003
【図２】
2007014741.tif 000004
【図３】
2007014741.tif 000005
【図４】
2007014741.tif 000006
【図５】
2007014741.tif 000007
(57)【要約】【課題】  鼻腔内に挿入し、鼻水を吸着させることである。【解決手段】請求項１記載の鼻水を吸い取ることのできる円筒形  又は円柱形の吸収材で鼻腔を塞ぐことを特徴とする。請求項２記載の吸収材が通気性を有することを特徴とする。請求項３の吸収材は保温・保湿性を有することを特徴とする。請求項４の吸収材に薬剤を塗布又は吸着することを特徴とする。請求項５の吸収材の材質は、化粧紙または吸収紙、包合紙、高吸収ポリマーシート、吸収シート、綿状パルプ、高分子吸水材など紙オムツ等に使用されるもの、又は吸水性スポンジ、タバコのフィルター系などを、単一  又は複合してなることを特徴とする。請求項６の吸収材は使用後に焼却可能な材質とすることを特徴とする。【選択図】  図１
2007014733.tif 000002
【特許請求の範囲】
【請求項１】
鼻水を吸い取ることのできる円筒形  又は円柱形の吸収材で鼻腔を塞ぐことを特徴とする鼻保護用品。
【請求項２】
前記吸収材が通気性を有することを特徴とする請求項１記載の鼻保護用品。
【請求項３】
前記吸収材は保温・保湿性を有することを特徴とする請求項１又は２記載の鼻保護用品。
【請求項４】
前記吸収材に鼻詰まり解消、及び鼻腔内炎症を癒す薬剤を塗布又は吸着することを特徴とする請求項１〜３のいずれかに記載の鼻保護用品。
【請求項５】
前記吸収材の材質は、化粧紙または吸収紙、包合紙、高吸収ポリマーシート、吸収シート、綿状パルプ、高分子吸水材など紙オムツ等に使用されるもの、又は吸水性スポンジ、タバコのフィルターなどを、単一  又は複合してなることを特徴とする請求項１〜４のいずれかに記載の鼻保護用品。
【請求項６】
前記吸収材は使用後焼却可能な材質を特徴とする請求項１〜５のいずれかに記載の鼻保護用品。
【発明の詳細な説明】
【技術分野】
【０００１】この発明は、鼻の穴を塞ぐことに関するものである。
【背景技術】
【０００２】アレルギー鼻炎、寒冷鼻炎、風邪等で鼻詰まりや鼻水が出る時、単にティッシュでかみとるだけでは、鼻腔内を傷めること及び鼻表面の肌荒れを起こすこととなり好結果は得られない。
【発明の開示】
【発明が解決しようとする課題】
【０００３】これらの症状で鼻詰まりの時はうまくかめず不快感が強いこと。又、鼻水の時は鼻を強くかむとかんだときはすっきりするが、鼻水が直ぐに出てくるという問題がある。出来るだけ鼻をかまないで症状を和らげることをしたいと考えた。以上の技術によって、鼻詰まりの解消及び鼻腔内を痛めることなく症状を和らげること。又、鼻をかむことによる鼻表面の肌荒れを防止することを課題とする。
【課題を解決するための手段】
【０００４】以上の課題を解決するために、本発明における鼻保護用品は、請求項１記載の鼻水を吸い取ることのできる円筒形  又は円柱形の吸収材で鼻腔を塞ぐことを特徴とする。
請求項２記載の吸収材が通気性を有することによる鼻呼吸がし易いことを特徴とする。
請求項３記載の吸収材は高・低温、乾燥状態からの鼻腔を保護するため、保温・保湿性を有することを特徴とする。
請求項４記載の吸収材に薬剤を塗布又は吸着できることを特徴とする。
請求項５記載の吸収材の材質は、化粧紙または吸収紙、包合紙、高吸収ポリマーシート、吸収シート、綿状パルプ、高分子吸水材など紙オムツ等に使用されるもの、又は吸水性スポンジ、タバコのフィルター系などを、単一  又は複合してなることを特徴とする。
請求項６記載の吸収材は使用後簡単に焼却できることを特徴とする。
【発明の効果】
【０００５】請求項１の発明によれば、鼻腔を塞ぐことで鼻をかむことが緩和され、請求項２の発明により鼻呼吸がし易く鼻詰まりの解消にもなる。また、請求項３により寒冷鼻炎又は乾燥状態等の苦痛が解消され、請求項４により鼻詰まり解消、鼻腔内炎症を和らげることにより不快感が低減される。請求項５によれば、吸収性が高く柔らかな材質により、鼻腔内挿入が容易で及び鼻表面を痛めることなく症状を和らげることが出来る。請求項６によれば、簡単に焼却することが出来、環境にも影響を与えない。
【発明を実施するための最良の形態】
【０００６】  図１（ａ）の鼻保護用品１は、円柱で外断面を曲面としたもので、通気孔２を有する。
図１（ｂ）の鼻保護用品３は、円柱で外断面を直線としたもので、通気孔４を有する。
アレルギー鼻炎、寒冷鼻炎、風邪等で鼻詰まりや鼻水が出る時、幾度となく鼻をティッシュでかんだりするが、かんでもかんでもとどまる事のない状態が続き、鼻腔６内及び鼻５表面の炎症を進めてしまうことが多い。
鼻保護用品１、３は、鼻水が出掛かったときに、鼻腔６内で鼻水を吸い取ることのできる円筒形吸収材又円柱形吸収材で、鼻腔６に挿入し鼻腔６を塞ぐものである。
鼻保護用品１，３は、鼻呼吸を容易とする通気孔２，４を有する。鼻保護用品１，３は、寒冷及び乾燥状態を緩和する保温性・保湿性を有する。
鼻腔６内の炎症及や鼻詰まりを緩和するための薬類を、鼻保護用品１，３に塗布又は吸着させることも可能である。
鼻保護用品１，３の材質は、以下に示す吸収性の良い材質（化粧紙または吸収紙、包含紙、高吸収ポ剪マーシート、吸収シート、綿状パルプ、高分子吸水材など紙オムツ等に使用されるもの、又は吸水性スポンジ、タバコのフィルターなど）を単一又は複合して形成されている。使用後は簡単に焼却が可能であり、環境に影響を及ぽさないことを特徴としている。
鼻保護用品１，３は、吸収性が高く柔らかい材質であり、鼻腔６内に刺激を与えることなく挿入することができる。又、鼻水を吸収させることで鼻をかむことが抑制でき、鼻腔６内を保護した状態に保つことができるものである。
【図面の簡単な説明】
【０００７】
【図１】外観を示す説明図である。
【図２】使用状態を示す説明図である。
【符号の説明】
【０００８】      １鼻保護用品    ２通気孔    ３鼻保護用品    ４通気孔    ５鼻    ６鼻腔
【図１】
2007014733.tif 000003
【図２】
2007014733.tif 000004
(57)【要約】【課題】本発明は例えば檜の持つ殺菌力を利用した、水切れをよくするためにタテ型にし、包丁立てをセットにした檜製包丁立て付きスタンド型まな板を提供する。【解決手段】例えば紀州熊野や四国四万十の檜の間伐材からなしたまな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする檜製包丁立て付きスタンド型まな板。【選択図】図４
2007014731.tif 000002
【特許請求の範囲】
【請求項１】
まな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする包丁立て付きスタンド型まな板。
【請求項２】
例えば紀州熊野産の檜四国四万十川檜等よりなる請求項１記載の包丁立て付きスタンド型まな板。
【発明の詳細な説明】
【技術分野】
【０００１】    本発明はまな板に関し、詳しくは檜の持つ殺菌力を利用した、水切れをよくするためにタテ型にし、包丁立てをセットにした檜製包丁立て付きスタンド型まな板に関するものである。
【背景技術】
【０００２】    従来、まな板は肉類・魚・野菜果物など色々なものを調理する場合において、その使用毎に綺麗に洗浄・殺菌し、常に乾燥した状態にしておくのが望ましいわけである。しかしながら一つの種類のものを調理した後、洗浄・殺菌し乾燥状態を保ちながら次の種類のものを調理するのは、事実上不可能と言わざるを得ない。そこで各素材毎に包丁を取り替えるのと同様に、複数個のまな板を準備するのが望ましいということになる。【０００３】    しかしながら実際問題として、キッチンや調理場などの限られた場所に各素材毎用にたくさんのまな板を準備しておくのは難しいのが現状である。そこで最低限必要になってくるのが、各素材に使用するたびに水洗いをして綺麗に洗浄することである。【０００４】    又、従来包丁とまな板の保管場所は別々になっているのが一般的で、いざ使おうとしたときにそれぞれの場所から取り出して使用しなければならないという煩わしさがあった。【０００５】    古来より殺菌力に優れた檜を利用したまな板は既にかなり使われているが、昨今は合成樹脂製のものが多数使用されている。
森林保護のために間伐材が大量に出ており、檜も例外ではなくこの間伐材の有効利用が求められている。【０００６】    まな板を通常使用後水洗いした後、まな板を立てかけて水切りすることは一般的に行なわれてきたが、少しの振動や衝撃で倒れやすく、又ほかの物品の邪魔になるなどの問題があった。そのような中でスタンドを付けたまな板（特許文献１参照）が発明されているが、まな板本体とスタンド部分の２つの部品より構成されており、組み立てが手間で時にはスタンド部分を紛失してしまう恐れがあった。【０００７】
【特許文献１】公開番号：特許公開２００３−３８３６７    公開日：２００３年２月１２日    出願番号：特許出願２００１−２２９３３７    出願日：２００１年７月３０日    出願人：新輝合成株式会社    発明者：田中  和夫    発明の名称：まな板
【発明の開示】
【発明が解決しようとする課題】
【０００８】  本発明は上記問題点を鑑みてなされたものである。つまり例えば紀州熊野や四国四万十の檜等の間伐材の檜の持つ殺菌力を利用したまな板で、使用しやすく部品がなくなることのない一体型で、使用後の水切れを良くしカビなどの繁殖を防ぎやすいようにスタンド型にすることと、使いやすいように包丁とまな板をセットにしたまな板を提供することを課題とする。
【課題を解決するための手段】
【０００９】  上記課題を解決するために、例えば紀州熊野産の檜や四国四万十の檜の間伐材からなしたまな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする檜製包丁立て付きスタンド型まな板である。
【発明の効果】
【００１０】    本発明を利用すれば、例えば紀州熊野産の檜や四国四万十の檜等の間伐材の有効利用となり、檜の持つ殺菌力をまな板に利用することが出来ることになり一石二鳥となる。さらにまな板を立てたまま保管出来ることによって、まな板使用後に水洗いしても水切れがよく、常に全面が乾いた状態を保つことが出来、カビなどの雑菌の発生を防ぐことが出来るので大変衛生的であるということが出来る。その上スタンド部（２）・スタンド支持部（３）をまな板本体（１）に取り付けたことにより、使用したい時にすぐに使うことが出来、部品を紛失するようなこともなくなる。又、包丁立てをセットしたことによって、使用時に両方の保管場所からわざわざ取り出すという手間も省くことが出来るので大変便利になる。
【発明を実施するための最良の形態】
【００１１】    以下に本発明を実施するための最良の形態について詳しく説明する。
本発明は、例えば紀州熊野産の檜や四国四万十の檜等の間伐材間伐材からなしたまな板本体（１）の一方の短辺部分の一端に設けた切り込み部（５）に回動可能なスタンド部（２）を設け反対側の端にスタンド支持部（３）を設け、他方の短辺部分に着脱可能な包丁立て（４）を設けたことを特徴とする檜製包丁立て付きスタンド型まな板である。
当然のことながら上記は紀州熊野産の檜や四国四万十の檜等の間伐材で説明したが、これにこだわる必要はなく他の産地のものでも他の種類の樹木でもよい。
【実施例】
【００１２】    本発明のまな板の使用方法は、まな板として調理に使用する時は包丁立て（４）は外して、スタンド部（２）をまな板本体（１）と同じ向きに合わせて通常のまな板と同じように使用する。【００１３】    調理が終わって洗浄・水洗いした後は、スタンド部（２）をまな板本体（１）に対して９０度起こしてまな板本体（１）をスタンド部（２）側の短辺部分を下にして立てかけて使用する。そして包丁立て（４）を取り付けて包丁（６）を差し込んで使用する。まな板本体（１）を立てかけることによって水切れを早くすることが出来るようになる。
【図面の簡単な説明】
【００１４】
【図１】    本発明のまな板本体部分の平面図
【図２】    本発明の包丁立ての斜視図
【図３】    本発明の使用例を示すまな板使用時の斜視図
【図４】    本発明の使用例を示すまな板保管時の斜視図
【符号の説明】
【００１５】    （１）      まな板本体
（２）      スタンド部
（３）      スタンド支持部
（４）      包丁立て
（５）      切り込み部
（６）      包丁
【図１】
2007014731.tif 000003
【図２】
2007014731.tif 000004
【図３】
2007014731.tif 000005
【図４】
2007014731.tif 000006
(57)【要約】【課題】    爪切り使用時の操作性、把握性を向上させるための、指挿入輪付き爪切りを提供する。【解決手段】    爪切りの指支持枝２本に指を挿入するための輪をそれぞれ１ないし２個設けることを特徴とする指挿入輪付き爪切り。【選択図】    図１
2007014736.tif 000002
【特許請求の範囲】
【請求項１】
爪切りの指支持枝２本に指挿入用の輪を１個ないし２個設けることを特徴とした指挿入輪付き爪切り。
【発明の詳細な説明】
【技術分野】
【０００１】  本発明は、爪切り使用降の取り落とし防止、指側への押圧を強めるための、指挿入輪付き爪切りに関するものである。
【背景技術】
【０００２】  従来は、爪切りの指支持枝２本を指先で上下に押さえ爪を切っていた。
【請求項４】
【発明の開示】
【発明が解決しようとする課題】
【０００３】  そのために次のような問題があった。
（イ）    指先のみで指支持枝を押さえるため、爪切り使用時、把握性が悪く、安定感          がないため爪切りを取り落としていた。
（ロ）    指支持枝のみでは、把握性が悪く、爪切りを強く指側に押しつけながら使用          することが困難であった。
本発明は、以上の問題点を解決するためになされたものである。
【課題を解決するための手段】
【０００４】  爪切りの指支持枝のうちの１本に指挿入用の輪を１個、別の指支持枝に指挿入用の輪を１ないし２個設ける。
【発明の効果】
【０００５】  各指挿入輪に指を挿入し、使用することにより、爪切り使用時の取り落としを防止、また、指側への押圧を強くすることができる。
【発明を実施するための最良の形態】
【０００６】  以下、本発明の実施の形態について説明する。
（イ）指支持枝（１）に指挿入輪（３）を設ける。
（ロ）指支持枝（２）の指挿入輪が２個の場合、指支持枝（２）に指挿入輪（４）、指挿    入輪（５）を設ける。
（ハ）指支持枝（２）の指挿入輪が１個の場合、指支持枝（２）に指挿入輪（６）を設け    る。
本発明は以上のような構造で、これを使用するとき、指支持枝（２）の指挿入輪が２この場合は、指支持枝（１）の指挿入輪（３）に第１指、指支持枝（２）の指挿入輪（４）、指挿入輪（５）に第１指以外の指を各挿入する。
指支持枝（２）の指挿入輪が１個の場合は、指支持枝（１）の指挿入輪（３）に第１指、指支持枝（２）の指挿入輪（６）に第１指以外の指を挿入する。
【図面の簡単な説明】
【０００７】
【図１】指支持枝（２）の指挿入輪が２個の場合の立面図
【図２】指支持枝（２）の指挿入輪が１個の場合の立面図
【符号の説明】
【０００８】  １  指支持枝
２  指支持枝
３  指挿入輪
４  指挿入輪
５  指挿入輪
６  指挿入輪
【図１】
2007014736.tif 000003
【図２】
2007014736.tif 000004
(57)【要約】【課題】  従来は、化粧用のファンデーションをコンパクトから取り外す時、目打ちや、爪で取り外して交換していたが、爪が折れたり目打ちが傍に無かったり、周りを汚してしまったことがあった、又ファンデーション保護用シートは化粧するとき、テーブルの上や、手に持っていたので無くし易かった。【解決手段】  化粧用のファンデーションを、手を汚さないで、ワンタッチで交換できる、又コンパクトを開けたとき、ファンデーション保護用シートも開き、ファンデーションの器からファンデーション保護用シートは、外れない、シートがあるのでコンパクトを持つとき安定感がある。【選択図】図１
2007014732.tif 000002
【特許請求の範囲】
【請求項１】
化粧用コンパクトの中に、ファンデーションがあり、その上にある保護用、ビニールシートを、落とし、無くしたりするのを防ぎ、また、ワンタッチでファンデーションを交換できるのを特徴とする、ワンタッチファンデーション交換シート。
【請求項２】
前記、ワンタッチファンデーション交換シートは、シートに、花や、キャラクター等の模様が描いてあり、コンパクトを持って化粧をするとき、安定感があることを、特徴とする、ワンタッチファンデーション交換シート。
【発明の詳細な説明】
【技術の分野】
【０００１】  本発明は、化粧用コンパクトの中にある、ファンデーションを保護するシートを落とし、無くすのを防ぎ、また、ファンデーションをワンタッチで交換できる、ワンタッチファンデーション交換シートに関する。
【背景技術】
【０００２】  従来の化粧用コンパクトの中にあるファンデーションの保護用シートは、化粧する時、取り外し手に持っていたか、化粧台の上に置いた、又、ファンデーションを交換する時、目打ちや爪等でファンデーションを取り外していた、又、蓋付き交換ファンデーションも容器ごと交換するのだが、コンパクトを開き、また、ファンデーション容器の蓋を開くので２度開き手間が掛かった。
【発明の開示】
【発明が解決しようとする課題】
【０００３】  以上に述べた従来のファンデーションの保護用シートでは、シートを取り外す時、シートが折れ曲がったり、落としたり、無くしてしまった、又、ファンデーションを交換する時、目打ちの様な物がないと交換ができなく、爪でファンデーションを入れ替えようとしたら、ファンデーションの粉が飛び散って、周りが汚れてしまった、蓋付きの入れ替えファンデーションは２度開けなくてはならないので、化粧するとき、ファンデーションの蓋が邪魔だった。【０００４】  本発明は、このような従来のファンデーションの保護用シートの折れ曲がりを防ぎ、保護用シートを落とし、無くすのを防ぐことを課題とし、又、ファンデーションの交換をスムーズにできることを提供する、課題とする。
【課題を解決するための手段】
【０００５】  以上の課題を解決するために、第一発明は、ファンデーションの底の形に合わせた図２−６ビニールシートをファンデーションが入るコンパクトに敷く、又、図２−７高さ０、２ミリ、幅２センチ、のビニールがファンデーションを固定する役目をする、図１−１ファンデーション保護用シートを軽く引っ張るだけで、手も汚さず、ファンデーションを、ワンタッチで交換できる。【０００６】  第二発明によれば、コンパクトを開けた時、図３のように、ファンデーション保護用シートも一緒に開くように、ファンデーション保護用シート図１−８に折り目を入れた。【０００７】  第三発明は、ファンデーション保護用シートは花や、キャラクターなどの模様がある、又、ナイロンで出来ているので、何処のメーカーでもファンデーション容器に合わせて切る事ができ、アイショドーや、頬紅入りのコンパクト容器にも合わせ利用できる。
【発明の効果】
【０００８】  第一発明、第二発明、第三発明によれば、ファンデーションがワンタッチで交換できる、ファンデーションを交換する時、飛び散ることもない、又、ファンデーション保護用シートを落とすことがなく、ファンデーション保護用シートは、お化粧する時の安定感にもなる。【０００９】  ナイロンを切るだけでどのメーカーにも合わせられ、大幅にコストダウンができる。
【発明の実施するための最良の形態】
【００１０】  以下、本発明の実施の形態を図１〜図３に基づいて説明する。
【００１１】  図１は全体の実施形態で、図１−１はファンデーション保護用シートで模様が描かれてあり、ファンデーションを取り出すときにも使う。
【００１２】  図１−８はコンパクトを開け閉めしたとき、ファンデーション保護用シートもその開け閉めに合わせるように折り曲げてある。
【００１３】  図２−７ファンデーションを固定するため、縦２ミリ、横２センチあり、折り曲げてある。
【００１４】  図２−６ファンデーションに合わせてビニールを切ってあるが１と７につながっている。
【００１５】  図１−７．図２−７は、ファンデーションを固定するように折り曲げてある。
【実施形態の効果】
この実施形態によれば、ファンデーション保護シートを軽く引っ張るだけで、ファンデーションをワンタッチで交換でき、周りも汚れない、又、ファンデーション保護用シートは固定してあるので無くしてしまう事もない、化粧するときは、コンパクトを開けると同じに、ファンデーション保護用シートも開き、片手でコンパクトを持つとき、かわいいもようが描かれているシートに親指を掛ければ安定感があり、楽しく化粧が出来る。
【図面の簡単な説明】
【００１６】
【図１】化粧用コンパクトを開けた実施形態の全体斜視図である、図１−１ファンデーション保護用シートで、シートを持ち上げるだけでファンデーションを交換できる。
【図２】ファンデーション保護用シートの全体斜視図であり、図２−１は、ファンデーション保護用シートで６はファンデーションの下になる、７はファンデーションを固定するように折り曲げてある。
【図３】コンパクトを開け閉めるときの、途中の斜視図である、図３−１はファンデーション保護用シートで、図３−２はファンデーションである。
【符号の説明】
【００１７】１．ファンデーション保護用シート
２．ファンデーション
３．化粧用スポンジ
４．コンパクト
５．鏡
６．ビニールシート
７．ファンデーションの固定
８．折り目
【図１】
2007014732.tif 000003
【図２】
2007014732.tif 000004
【図３】
2007014732.tif 000005
(57)【要約】 【課題】本発明は、小形直流電動機の抱える解決すべき重要な課題のひとつである、組立性に優れ、信頼性を損なうことの無い作業の容易な簡易な構造の実現を目的とする。【解決手段】本発明に成る小形直流電動機は、筐体がホルダーを嵌着するための切り欠き部を備えると共に、外周側端封止面近傍で軸方向に露出するように配置された端子部材を備えるホルダーが、外周側端部が、筐体の切り欠き部に嵌着され該筐体外周面に連通する円弧状外周面を有する大径部と、該大径部の周方向両側で前記筐体の内周面に当接する小径段差部を有するよう樹脂成形で形成され、ブラシと押圧ばねを装着するブラシ装着部の外周側端が封止されて、その外周面が前記筐体外周面に連通するようにして蓋体に保持され、前記蓋体は、外周側が開の切り欠き部を有し、前記ホルダーには、該蓋体の切り欠き部に嵌着する突状部が形成されている。【選択図】        図１
2007014041.tif 000002
【特許請求の範囲】
【請求項１】
有底円筒状筐体と該筐体に嵌着・保持される蓋体を外被とし、ブラシと整流子とより成る機械的整流機構を備える小形直流電動機において、前記筐体に、ブラシが径方向移動自在に保持されるホルダーを嵌着するための切り欠き部が形成されると共に、前記ホルダーは、樹脂成形で形成され、ブラシと押圧ばねを装着するブラシ装着部の外周側端が封止されて、その外周面が前記筐体外周面に連通するようにして前記蓋体に保持されていること、を特徴とする小形直流電動機。
【請求項２】
前記ホルダーは、その外周側端封止面近傍に、軸方向にその一端が外被から露出するように配置された端子部材を備えること、を特徴とする請求項１に記載の小形直流電動機。
【請求項３】
前記ホルダーの外周側端部が、筐体の切り欠き部に嵌着され該筐体外周面に連通する円弧状外周面を有する大径部と、該大径部の周方向両側で前記筐体の内周面に当接する小径段差部を備えること、を特徴とする請求項１または２に記載の小形直流電動機。
【請求項４】
前記蓋体は、前記ホルダーを径方向に装着可能な外周側が開の切り欠き部を有し、前記ホルダーが該蓋体の切り欠き部に嵌着される突状部を備えること、を特徴とする請求項１乃至３のいずれかに記載の小形直流電動機。
【発明の詳細な説明】
【技術分野】
【０００１】
本発明は、小形直流電動機の組立工程において、過半の問題を残している整流機構周りの改善に関する。
【背景技術】
【０００２】
整流機構を備える小形直流電動機では、電動機内部巻線への通電手段が、内装される整流子及びこれに摺接するブラシと、外部電源に接続される引出線であって、当該電動機の組立工程において、これら重要な構成について信頼性を損なうことの無い丁寧な作業を必須とすることは言うまでも無いことである。
【０００３】
一方、重要な構成部とその取扱いであるが故に、組立作業の簡易化改善が、止むことの無い課題であって、これらの改良技術は日々積み重ねられており、公知文献１（特開２００２−０９５２２３号公報）や公知文献２（特開  平０６−１６９５５０号公報）の例もその一環で、夫々相応の効果を実現しているが、これで善いといえるものでないことは論を俟たない。
【０００４】
【特許文献１】特開２００２−０９５２２３号公報
【特許文献２】特開  平０６−１６９５５０号公報
【発明の開示】
【発明が解決しようとする課題】
【０００５】
上述のような従来技術に成る小形直流電動機の抱える解決すべき重要な課題のひとつは、組立性に優れた構成の追及であって、信頼性を損なうことの無い作業の容易な簡易な構造への改良であった。
【課題を解決するための手段】
【０００６】
本発明に成る小形直流電動機は、筐体が、ブラシを径方向移動自在に保持するホルダーを嵌着するための切り欠き部を備えると共に、前記ホルダーは、樹脂成形で形成され、ブラシと押圧ばねを装着するブラシ装着部の外周側端が封止されて、その外周面が前記筐体外周面に連通するようにして蓋体に保持されるように構成されており、また、
【０００７】
前記ホルダーは、その外周側端封止面近傍に、軸方向にその一端が外被から露出するように配置された端子部材を備え、また、
【０００８】
前記ホルダーの外周側端部が、筐体の切り欠き部に嵌着され該筐体外周面に連通する円弧状外周面を有する大径部と、該大径部の周方向両側で前記筐体の内周面に当接する小径段差部を備え、また、
【０００９】
前記蓋体は、前記ホルダーを径方向に挿通・嵌着可能な、外周側が開の切り欠き部を有し、前記ホルダーには、該蓋体の切り欠き部に嵌着する突状部が形成されている。
【発明の効果】
【００１０】
本発明に成る小形直流電動機は、ホルダーにブラシと押圧ばねを装着した状態で電動機の組立作業を行えるように構成され、作業性の改良を実現している。
【発明を実施するための最良の形態】
【００１１】
以下図面により本発明の実施例を説明する。
【実施例１】
【００１２】
図１は、本願発明に成る小型直流電動機の例の断面略図で、本願発明に係る整流機構では、ブラシの表示を省略している。
【００１３】
外被を構成する有底円筒状の筐体は、開放端から軸方向に切り欠き部が形成されており、該筐体の切り込欠き部に、その先端円弧状表面が前記筐体外周面に連通するようにしてホルダーが嵌着されている。
【００１４】
上述筐体に嵌着されるホルダーは、後述する図３に例示するような形に樹脂成型加工されたもので、図２に例示する蓋体のホルダー装着用きり欠き部に、その凸状部が装着されて保持された上で、該蓋体が前記筐体に嵌合され、上述のようにホルダーが鉢されることになる。
【００１５】
ホルダーを蓋体に装着する際は、該ホルダーが蓋体に形成された径方向外側に解放された切り欠き部に嵌合することで、周知の事柄として図示は省略しているが、ホルダーのブラシ装着部に、ブラシと押圧ばねとを内装した状態で、外周方向外側から接近させながら回転子側の整流子の表面に当接できる。
【産業上の利用可能性】
【００１６】
本発明に成る・・
【図面の簡単な説明】
【００１７】
【図１】本発明に成る小形直流電動機の例の断面略図である。
【図２】図１の例で蓋体の正面図（ａ）と断面図（ｂ）である。
【図３】図１の例でホルダーの断面図とその３面図である。
【符号の説明】
【００１８】
０        小形直流電動機
１        筐体
１−１    筐体外周面
１−２    筐体の切り欠き部
２        蓋体
２−１    ホルダーを装着する切り欠き部
２−２    軸受嵌着部
２−３    軸挿通孔
３        ホルダー
３−１    ブラシと押圧ばねを収容するブラシ装着部
３−２    ピグテール挿通溝
３−３    端子挿通孔
３−４    筐体外周面に連通する円弧状大径部
３−５    筐体内周面に当接する小径段差部
３−６    蓋体の切り欠き部に嵌着される凸状部
４        端子
５        永久磁石
６        回転子
【図１】
2007014041.tif 000003
【図２】
2007014041.tif 000004
【図３】
2007014041.tif 000005